(57)【要約】【課題】ガイド片によるカセットの案内を円滑に行うことにより、カセットやガイド片の摩耗及びそれに伴う発塵を防止することができるカセットの位置決めガイド装置を提供すること。【解決手段】カセット載置部１の周囲にガイド片を立設し、このガイド片がカセット２の縁部を案内することにより位置決めを行うもので、当該ガイド片を、カセット載置部１側に回転可能に設けたローラ３により構成する。【選択図】図１
2007067282.tif 000002
【特許請求の範囲】
【請求項１】
カセット載置部の周囲にガイド片を立設し、該ガイド片がカセットの縁部を案内することにより位置決めを行うカセットの位置決めガイド装置において、前記ガイド片を、カセット載置部側に回転可能に設けたローラにより構成したことを特徴とするカセットの位置決めガイド装置。
【請求項２】
前記ローラがボールベアリングを備えたことを特徴とする請求項１記載のカセットの位置決めガイド装置。
【発明の詳細な説明】
【技術分野】
【０００１】
本発明は、液晶、有機ＥＬ、半導体等の電子部品用カセット（本明細書において、単に「カセット」という場合がある。）の位置決めガイド装置に関し、特に、ガイド片によるカセットの案内を円滑に行うことにより、カセットやガイド片の摩耗及びそれに伴う発塵を防止することができるカセットの位置決めガイド装置に関するものである。
【背景技術】
【０００２】
例えば、液晶等のガラス基板は、互いに接触しないように分離して収容するために、専用のガラス基板収納用カセットに収納される。
このガラス基板収納用カセットは、例えば、大型液晶ガラス基板の製造ラインに於いて、製造装置間で液晶ガラス基板を搬送したり、一時貯留する場合に使用される。
【０００３】
カセットは、任意の場所に載置されるが、カセットの受け渡しや内容物の取り出しのために、位置決めが行われる。
従来の位置決めガイド装置は、図２に示すように、カセット載置部１の周囲に傾斜面５１を有するガイド片５を立設し、該ガイド片５の傾斜面５１にカセット２の縁部を摺接することにより位置決めを行っている。
【０００４】
しかしながら、上記従来の位置決めガイド装置は、ガイド片の傾斜面にカセットの縁部を摺接することにより位置決めを行うことから、カセットやガイド片が摩耗したり、また発塵したりするという問題を有している。
特に、通常のカセットに比べ、Ｇ６、Ｇ７、Ｇ８世代の液晶基板用カセットは重量が大きいことから、ガイドやカセットの受面に与える負荷が大きくなり、従来の摩擦によるガイド方式では摩耗による発塵や使用寿命の短期化が問題になる。
【発明の開示】
【発明が解決しようとする課題】
【０００５】
本発明は、上記従来のカセットの位置決めガイド装置が有する問題点に鑑み、ガイド片によるカセットの案内を円滑に行うことにより、カセットやガイド片の摩耗及びそれに伴う発塵を防止することができるカセットの位置決めガイド装置を提供することを目的とする。
【課題を解決するための手段】
【０００６】
上記目的を達成するため、本発明のカセットの位置決めガイド装置は、カセット載置部の周囲にガイド片を立設し、該ガイド片がカセットの縁部を案内することにより位置決めを行うカセットの位置決めガイド装置において、前記ガイド片を、カセット載置部側に回転可能に設けたローラにより構成したことを特徴とする。
【０００７】
この場合において、前記ローラがボールベアリングを備えることができる。
【発明の効果】
【０００８】
本発明のカセットの位置決めガイド装置によれば、カセット載置部の周囲にガイド片を立設し、該ガイド片がカセットの縁部を案内することにより位置決めを行うカセットの位置決めガイド装置において、前記ガイド片を、カセット載置部側に回転可能に設けたローラにより構成することから、カセットの案内をローラの転動により円滑に行い、これにより、カセットやガイド片の摩耗を防止するとともに、それに伴う発塵を防止することができる。
【０００９】
この場合、前記ローラがボールベアリングを備えることにより、カセットの案内をより円滑に行い、カセットやガイド片の摩耗を効果的に防止するとともに、それに伴う発塵を効果的に防止することができる。
【発明を実施するための最良の形態】
【００１０】
以下、本発明のカセットの位置決めガイド装置の実施の形態を、図面に基づいて説明する。
【実施例１】
【００１１】
図１に、本発明のカセットの位置決めガイド装置の一実施例を示す。
このカセットの位置決めガイド装置は、カセット載置部１の周囲にガイド片を立設し、該ガイド片がカセット２の縁部を案内することにより位置決めを行うもので、前記ガイド片を、カセット載置部１側に回転可能に設けたローラ３により構成している。
【００１２】
ローラ３は、本実施例では、ゴムや合成樹脂からなり、カセット載置部１の周囲８箇所に回動可能に配設されている。
各ローラ３は、その回転軸４がカセット２の対向する各辺と平行になるように配設されるとともに、上半部が突出するようにカセット載置部の床面に設置されている。
また、各ローラ３は、その回転軸４にボールベアリングを備えており、より円滑に回転するように設けられている。
【００１３】
次に、このカセットの位置決めガイド装置の動作を説明する。
カセット２を載置部１に降ろそうとすると、位置ずれしているカセット２の縁部がローラ３に当接し、ローラ３がカセット載置部１側に回転する。
これにより、カセット２は転動するローラ３に送られるように、カセット載置部１側に案内される。
ローラ３は、カセット２の周囲に対向するように設けられているため、カセット２は４方向のどの位置からでも案内され、そのずれを修正して位置決めされる。
【００１４】
このように、本実施例のカセットの位置決めガイド装置は、従来の滑りによるガイド片を、ベアリングを入れたローラ３に置き換えることにより、大型液晶カセットの重荷重によるカセット２とガイド片の摩耗を減少させるとともに、この摩耗に伴う発塵を減少させることができる。
これにより、カセット２とガイド片の寿命を延ばすとともに、摩耗紛を減らしクリーンルーム内の汚染物を減少させることができる。
【００１５】
かくして、本実施例のカセットの位置決めガイド装置は、カセット載置部１の周囲にガイド片を立設し、該ガイド片がカセット２の縁部を案内することにより位置決めを行うカセットの位置決めガイド装置において、前記ガイド片を、カセット載置部１側に回転可能に設けたローラ３により構成することから、カセット２の案内をローラ３の転動により円滑に行い、これにより、カセット２やガイド片の摩耗を防止するとともに、それに伴う発塵を防止することができる。
この場合、前記ローラ３がボールベアリングを備えることにより、カセット２の案内をより円滑に行い、カセット２やガイド片の摩耗を効果的に防止するとともに、それに伴う発塵を効果的に防止することができる。
【００１６】
以上、本発明のカセットの位置決めガイド装置について、その実施例に基づいて説明したが、本発明は上記実施例に記載した構成に限定されるものではなく、実施例に記載した構成を適宜組み合わせるなど、その趣旨を逸脱しない範囲において適宜その構成を変更することができる。
【産業上の利用可能性】
【００１７】
本発明のカセットの位置決めガイド装置は、ガイド片によるカセットの案内を円滑に行うことにより、カセットやガイド片の摩耗及びそれに伴う発塵を防止するという特性を有していることから、例えば、大型液晶カセットの位置決めの用途に好適に用いることができる。
【図面の簡単な説明】
【００１８】
【図１】本発明のカセットの位置決めガイド装置の一実施例を示し、（ａ）はローラの側面図、（ｂ）はローラの配置例を示す平面図である。
【図２】従来のカセットの位置決めガイド装置を示すガイド片の側面図である。
【符号の説明】
【００１９】
１    カセット載置部
２    カセット
３    ローラ
４    回転軸
【図１】
2007067282.tif 000003
【図２】
2007067282.tif 000004